(57)【特許請求の範囲】
【請求項１】
それぞれ合成樹脂シートによって一体成形され、真円形状の開口縁部に嵌合フランジを有する容器本体と、これに嵌合フランジによって嵌合される蓋体とからなる包装用容器であって、
前記容器本体側の嵌合フランジを構成している外側スカート部に、本体側ネジ段部及び嵌合部を形成するとともに、
前記蓋体側の嵌合フランジを構成している外側スカート部に、前記本体側ネジ段部と同じ形状の蓋体側ネジ段部と、前記容器本体側の嵌合部に係合し得る嵌合部とを形成して、
前記蓋体を容器本体に嵌合したとき、前記両段部及び嵌合部のそれぞれの係合によって両者の一体化が図られ、前記蓋体を容器本体に対して回転させたとき、前記蓋体側ネジ段部が本体側ネジ段部によって案内されて、両者の開放がなされるようにし、
前記本体側ネジ段部及び蓋体側ネジ段部を複数でかつ同数にするとともに、これらの本体側ネジ段部及び蓋体側ネジ段部の各一端部側に、これらの段部に対して傾斜する第二段部をそれぞれ形成したことを特徴とする包装用容器。
【請求項２】
前記各第二段部を、各嵌合フランジに対して垂直にしたことを特徴とする請求項１に記載の包装用容器。
【発明の詳細な説明】
【技術分野】
【０００１】
本発明は、合成樹脂シートによって一体成形される包装用容器に関し、特に、容器本体とこれに嵌合される蓋体とからなる包装用容器に関するものである。
【背景技術】
【０００２】
合成樹脂シートによって一体成形される包装用容器は、スーパーやコンビニエンスストア等で、お弁当や惣菜を入れたり、あるいは保存食品を入れたりするものとして大量に生産され使用されているものであり、その大部分は、一回使用したらそのまま捨てられてしまうものが多い。しかしながら、例えば、「梅干し」や「福神漬け」、あるいは「ラッキョウ」といった食品は、お弁当とは異なって、一回で消費し切れるものでないことが多く、これを収容していた包装用容器をそのまま使用したい場合がある。
【０００３】
例えば、お弁当用の包装用容器でも、一旦開けた蓋を再び閉じるようなことはあるが、それはあくまでも一時的であり、例えば一昼夜以上開けた蓋を閉じておくというようなことは、中身の腐敗を考えるとあり得ないことである。これに対して、上述したようなある程度の所謂日持ちする食品については、一昼夜以上開けた蓋を閉じておくというようなことは十分有り得ることではあるが、その場合に重要になるのは、蓋の密閉性である。
【０００４】
お弁当のための包装用容器であれば、開けたら殆ど直ぐに中身を消費してしまいその後には捨ててしまうものであるから、密閉性についてはさほど要求されてはいない。しかしながら、ある程度の所謂日持ちする「梅干し」のような食品については、一昼夜以上開けた蓋を閉じておく場合に、中の液汁が簡単には漏れ出ないようにしておく、つまり密閉性をある程度確保しておく必要がある。
【０００５】
容器本体と蓋体とを嵌合させるようにした包装用容器で、再度閉じた蓋体の容器本体に対する密閉性を確保する技術として最も一般的に考えられるのが、本体に対してネジ込まれるネジ蓋とすることである。このようなネジ構造を採用した技術としては、特許文献１または特許文献２に記載されているようなものがある。
【特許文献１】特開平１０−１２９６４４号公報、要約、代表図
【特許文献２】実公昭５２−１１９８１号公報
【発明の開示】
【発明が解決しようとする課題】
【０００６】
特許文献１の「ネジ付き容器」は、「シート成形法により、容易に成形することができ、開口部の強度や密閉性に優れ、空の状態で積み重ね適性のあるネジ付き容器、及びシート成形法により、容器本体のネジに嵌合するネジ付き蓋を作製し、ネジ付き容器本体と組み合わせた蓋付き容器を提供すること」を目的としてなされたもので、図９及び図１０に示したような構成を有している。
【０００７】
すなわち、この特許文献１に記載された容器は、「シート成形法により成形されたプラスチック製のカップ状容器において、容器本体の開口部から本体外周面に向けて曲折して延在させた垂下部分をネジ状に形成したことを特徴とするネジ付き容器。シート成形法により成形され、側壁を前記垂下部分のネジに嵌合するネジ状に形成したプラスチック製の蓋が組み合わされている」ものであるが、「容器本体の開口部から本体外周面に向けて曲折して延在させた垂下部分をネジ状に形成」することは「シート成形法」では非常に困難ではないかと考えられる。何故なら、「シート成形法」は、（合成樹脂）シートを吸引するか圧力空気で押圧することにより成形する方法であり、「曲折」することは勿論、この「曲折」した部分にネジを形成したとすると、型抜きが出来なくなるからである。
【０００８】
また、特許文献２に記載されている「アイスクリーム用容器」は、当該文献の実用新案登録請求の範囲の記載からすると、図１１に示すように、「帽体状キャップＡと逆円錐形状Ｂとの組合せよりなるアイスクリーム容器に於て、容器Ｂの上端開口周縁にネジＣを有する鍔３を一体的に突設し、更にキャップＡの下端開口部に下半部に前記鍔３のネジＣに螺合し得るネジａを有しかつその上半部に該鍔３が嵌入し得る嵌着部ｂをそれぞれ有する膨出部２を一体的に突設して構成してなるアイスクリーム用容器」である。
【０００９】
しかしながら、この特許文献２のアイスクリーム容器では、「鍔３のネジＣとネジａとの螺合」及び「該鍔３と嵌着部ｂとの嵌入」によってキャップＡと容器Ｂとを嵌合させるものであるから、両者間の密閉性は十分になっているとは考えにくい。
【００１０】
そこで、本発明者等は、この種の容器本体とこれに嵌合される蓋体とからなる包装用容器について、合成樹脂シートから一体的に（シート）成形するネジ形式のものであっても、簡単に製造することができて、しかも一旦開放してから再度嵌合したときの密閉性を十分確保できるようにするにはどうしたらよいか、について種々検討を重ねてきた結果、本発明を完成したのである。
【００１１】
すなわち、本発明の目的とするところは、シート成形されるネジタイプのものであっても、製造を容易にすることができて、一旦開放してから再度嵌合したときの密閉性を十分確保できる包装用容器を提供することにある。
【課題を解決するための手段】
【００１２】
以上の課題を解決するために、まず、請求項１に係る発明の採った手段は、後述する最良形態の説明中で使用する符号を付して説明すると、
「それぞれ合成樹脂シートによって一体成形され、真円形状の開口縁部に嵌合フランジ１１を有する容器本体１０と、これに嵌合フランジ２１によって嵌合される蓋体２０とからなる包装用容器１００であって、
容器本体１０側の嵌合フランジ１１を構成している外側スカート部１２に、本体側ネジ段部１３及び嵌合部１４を形成するとともに、
蓋体２０側の嵌合フランジ２１を構成している外側スカート部２２に、本体側ネジ段部１３と同じ形状の蓋体側ネジ段部２３と、容器本体１０側の嵌合部１４に係合し得る嵌合部２４とを形成して、
蓋体２０を容器本体１０に嵌合したとき、両段部１３・２３及び嵌合部１４・２４のそれぞれの係合によって両者の一体化が図られ、蓋体２０を容器本体１０に対して回転させたとき、蓋体側ネジ段部２３が本体側ネジ段部１３によって案内されて、両者の開放がなされるようにし、
本体側ネジ段部１３及び蓋体側ネジ段部２３を複数でかつ同数にするとともに、これらの本体側ネジ段部１３及び蓋体側ネジ段部２３の各一端部側に、これらの段部１３・２３に対して傾斜する第二段部１５・２５をそれぞれ形成したことを特徴とする包装用容器１００」
である。
【００１３】
すなわち、この請求項１に係る包装用容器１００は、それぞれ合成樹脂シートによって一体成形され、真円形状の開口縁部に嵌合フランジ１１を有する容器本体１０と、これに嵌合フランジ２１によって嵌合される蓋体２０とからなるネジタイプのものであり、容器本体１０側の本体側ネジ段部１３と蓋体２０側の蓋体側ネジ段部２３との螺合、及び容器本体１０側の嵌合部１４と蓋体２０側の嵌合部２４との係合もしくは嵌合によって、蓋体２０が容器本体１０の開口縁部に嵌合されたときの密閉性を確保するようにしたものである。
【００１４】
このため、この包装用容器１００では、まずその容器本体１０側の嵌合フランジ１１を構成している外側スカート部１２に、本体側ネジ段部１３及び嵌合部１４を形成するとともに、蓋体２０側の嵌合フランジ２１を構成している外側スカート部２２に、本体側ネジ段部１３と同じ形状の蓋体側ネジ段部２３と、容器本体１０側の嵌合部１４に係合し得る嵌合部２４とを形成したものである。
【００１５】
以上のように構成した当該包装用容器１００では、まず、容器本体１０に対して蓋体２０を嵌合する場合には、容器本体１０側の嵌合フランジ１１に蓋体２０側の嵌合フランジ２１を上から位置を決めずに嵌合する。このときには、容器本体１０側の嵌合部１４と蓋体２０側の嵌合部２４とは互いに嵌合し合っていないことが多いと思われるが、蓋体２０を容器本体１０に対して少し回転させると、本体側ネジ段部１３と蓋体側ネジ段部２３とが互いに係合しながら蓋体２０の容器本体１０に対する左右方向の位置及び高さを調整するから、最終的に両嵌合部１４・２４は一致する位置になる。両嵌合部１４・２４が一致すると、各嵌合フランジ１１・２１を構成している外側スカート部１２・２２の弾力によって両嵌合部１４・２４が互いに嵌合し合うことになる。これにより、両嵌合部１４・２４の完全な嵌合がなされ、かつ両外側スカート部１２・２２が互いに密着し合うから、両嵌合フランジ１１・２１の嵌合と併せて、蓋体２０は容器本体１０に高い密閉性で嵌合することになるのである。
【００１６】
また、容器本体１０から蓋体２０を外す場合には、蓋体２０を容器本体１０に対して少し回転させる（通常、ネジを外す方向、つまり蓋体２０を図５中の左矢印方向に回転させる）と、両嵌合部１４・２４の嵌合状態が外されるとともに、互いに係合し合っている本体側ネジ段部１３と蓋体側ネジ段部２３との係合によって、蓋体２０が容器本体１０から外れる、つまり外側に出るように案内されるから、最終的に蓋体２０は容器本体１０から外れることになる。
【００１７】
勿論、この包装用容器１００を再使用するために、再び蓋体２０を容器本体１０に対して嵌合させたい場合には、上述したように、ネジを締めるような状態で蓋体２０を容器本体１０に対して回転させればよく、その再覆蓋時に、密閉性が確保されていることは上述した通りである。
【００１８】
また、以上のような構成を有する容器本体１０及び蓋体２０は、通常のシート成形方法（合成樹脂シートに対する圧空または真空成形）によって製造できるものである。すなわち、容器本体１０の嵌合フランジ１１や蓋体２０の嵌合フランジ２１を成形する技術は既に確立されており、これらの嵌合フランジ１１・２１の外側スカート部１２・２２に対して、上述した本体側ネジ段部１３・２３及び嵌合部１４・２４を、これも確立された技術である「アンダーカット部」成形技術によってそれぞれ形成すればよいのである。このとき、各外側スカート部１２・２２を外広がり状態に形成すれば、これらに対する本体側ネジ段部１３・２３及び嵌合部１４・２４の成形をより一層簡単に行える。
【００１９】
従って、この包装用容器１００においては、まず、第一に、シート成形を採用することによって、これを構成している容器本体１０及び蓋体２０の成形を簡単に行えるだけでなく、蓋体２０を容器本体１０に嵌合したとき、両ネジ段部１３・２３及び嵌合部１４・２４のそれぞれの係合によって両者の一体化が図られ、蓋体２０を容器本体１０に対して回転させたとき、蓋体側ネジ段部２３が本体側ネジ段部１３によって案内されて、両者の開放が簡単に行えるのである。
【００２０】
また、この包装用容器１００は、本体側ネジ段部１３及び蓋体側ネジ段部２３を複数でかつ同数にするとともに、これらの本体側ネジ段部１３及び蓋体側ネジ段部２３の各一端部側に、これらの段部１３・２３に対して傾斜する第二段部１５・２５をそれぞれ形成したものであった。
【００２１】
すなわち、この包装用容器１００では、まず、図１に示すように、本体側ネジ段部１３及び蓋体側ネジ段部２３を複数でかつ同数にしたものであり、これにより、シート成形法による両ネジ段部１３・２３の形成を容易にするとともにその各長さを短くしているのであり、両者間の係合、及び蓋体２０を容器本体１０から取り外すときの手の回転量（角度）を少なくしているのである。
【００２２】
また、この包装用容器１００では、本体側ネジ段部１３及び蓋体側ネジ段部２３の各一端部側に、これらの段部１３・２３に対して傾斜する第二段部１５・２５を、図１及び図８に示すように、それぞれ形成したものである。
【００２３】
各第二段部１５・２５は、容器本体１０に嵌合した蓋体２０を「ネジ締め方向」に回転させたとき、互いに当接し合うようにするものであり、この当接時には、蓋体２０の容器本体１０に対する回転を止めるとともに、その位置で各嵌合部１４・２４が嵌合し合うようにするものである。つまり、両第二段部１５・２５は、それぞれに対応するネジ段部１３・２３に対して傾斜して、かつ全て同一位置に形成してあればよく、その傾斜角度は問わないものである。
【００２４】
以上のように構成した包装用容器１００では、蓋体２０を容器本体１０に対して嵌合する際には、容器本体１０の嵌合フランジ１１に対する任意の位置で蓋体２０の嵌合フランジ２１を嵌合させてから、手で掴んだ蓋体２０を容器本体１０に対して所定量回転させるのである。この手の回転量は、各本体側ネジ段部１３及び蓋体側ネジ段部２３が複数に形成してあることによって両手間の一回の捻り程度でよく、この捻りは、両第二段部１５・２６が当接し合った時点で終了する。
【００２５】
以上の嵌合時の捻り操作の終了時点では、本体側ネジ段部１３が蓋体側ネジ段部２３に、嵌合部１４が嵌合部２４に、そして第二段部１５が第二段部２５にそれぞれ当接しているとともに、当然のことながら容器本体１０側の嵌合フランジ１１に蓋体２０側の嵌合フランジ２１が嵌合している。このため、容器本体１０に対する蓋体２０の密閉性は完全になっているのである。
【００２６】
この蓋体２０を容器本体１０から外すには、蓋体２０を上述したのとは反対方向に回転させればよい。このときにも、回転量は少なくて済み、かつ本体側ネジ段部１３と蓋体側ネジ段部２３との案内によって両嵌合部１４・２４間の係合が解かれるとともに、蓋体２０の容器本体１０に対する「ネジ開け」がなされるのでる。
【００２７】
従って、この包装用容器１００は、上記第１の機能を発揮する他、第２の機能として、第二段部１５の存在によって蓋体２０の容器本体１０に対する回転止めが容易に行えるものとなっているのである。
【００２８】
さらに、上記課題を解決するために、請求項２に係る発明の採った手段は、上記請求項１に記載の包装用容器１００について、
「各第二段部１５・２５を、各嵌合フランジ１１・２１に対して垂直にしたこと」
である。
【００２９】
すなわち、この請求項２の包装用容器１００では、上述した各第二段部１５・２５を各嵌合フランジ１１・２１に対して垂直にする必要があるが、その理由は、嵌合時に蓋体２０を回転させることなく嵌合操作が行えるようにするためであり、製造時の型抜きを簡単に行えるようにするためである。
【００３０】
換言すれば、各第二段部１５・２５が各嵌合フランジ１１・２１に対して垂直になっていれば、蓋体２０を容器本体１０に真っ直ぐ嵌合させることによって、当該各第二段部１５・２５が邪魔になることなく、そのまま嵌合フランジ１１と嵌合フランジ２１との嵌合が行えるのである。これに対して、請求項２の包装用容器１００では、各第二段部１５・２５が干渉し合わない部分を選択する必要があるが、この請求項３の包装用容器１００では、そのような位置合わせが不要となっているのである。
【００３１】
従って、この請求項２の包装用容器１００は、上記請求項１のそれと同様な機能を発揮する他、容器本体１０と蓋体２０との嵌合時において、各第二段部１５・２５の干渉し合わない部分を選択する必要がなくなっていて、蓋体２０の容器本体１０に対する嵌合操作が簡単になっているのである。
【発明の効果】
【００３２】
以上、詳述した通り、本発明においては、
「それぞれ合成樹脂シートによって一体成形され、真円形状の開口縁部に嵌合フランジ１１を有する容器本体１０と、これに嵌合フランジ２１によって嵌合される蓋体２０とからなる包装用容器１００であって、
容器本体１０側の嵌合フランジ１１を構成している外側スカート部１２に、本体側ネジ段部１３及び嵌合部１４を形成するとともに、
蓋体２０側の嵌合フランジ２１を構成している外側スカート部２２に、本体側ネジ段部１３と同じ形状の蓋体側ネジ段部２３と、容器本体１０側の嵌合部１４に係合し得る嵌合部２４とを形成して、
蓋体２０を容器本体１０に嵌合したとき、両段部１３・２３及び嵌合部１４・２４のそれぞれの係合によって両者の一体化が図られ、蓋体２０を容器本体１０に対して回転させたとき、蓋体側ネジ段部２３が本体側ネジ段部１３によって案内されて、両者の開放がなされるようにし、
本体側ネジ段部１３及び蓋体側ネジ段部２３を複数でかつ同数にするとともに、これらの本体側ネジ段部１３及び蓋体側ネジ段部２３の各一端部側に、これらの段部１３・２３に対して傾斜する第二段部１５・２５をそれぞれ形成したこと」
にその構成上の主たる特徴があり、これにより、シート成形されるネジタイプのものであっても、製造を容易にすることができて、一旦開放してから再度嵌合したときの密閉性を十分確保できて、しかも第二段部１５の存在によって蓋体２０の容器本体１０に対する回転止めが容易に行える包装用容器１００を提供することができるのである。
【００３３】
すなわち、本発明に係る包装用容器１００では、次のような作用あるいは効果を発揮させることができるのである。
【００３４】
（１）両嵌合フランジ１１・２１の嵌合と、各嵌合部１４・２４同士の係合、及び本体側ネジ段部１３と及び蓋体側ネジ段部２３との当接とにより、容器本体１０に対する蓋体２０の密閉性が十分となる。（請求項１）
（２）さらに、両第二段部１５・２５の係合が加われば、容器本体１０に対する蓋体２０の密閉性がより一層十分なものとなる。（請求項１及び請求項２）
（３）本発明の包装用容器１００は、密閉性が向上したものとなっているがため、何回も再使用しても、日持ち食品の保存が可能である。
【００３５】
（４）密閉性が高いから、「キムチ」のような臭いの強い食品を冷蔵庫内に保存しても、庫内に臭いが充満することがないことは勿論、他の食品に臭いを移すこともない。
【００３６】
（５）密閉性を高めるために従来使用されていたヒートシール機を省略することができて、スーパーやコンビニエンスストアでの経費節減を行うことができる。
【００３７】
（６）本発明の包装用容器１００は、再使用が十分可能なものとなっているから、使い捨てされる期間を長引かせることができ、ゴミ問題の解消にも一役買うことができるものとなっている。
【発明を実施するための最良の形態】
【００３８】
次に、上記のように構成した各請求項に係る発明を、図面に示した最良の形態である包装用容器１００について説明するが、この最良形態の包装用容器１００は、上記各請求項に係る発明の全てを含むものである。
【００３９】
図１には、本発明の最良形態である包装用容器１００が示してあるが、この包装用容器１００は、真円形状の開口縁部に嵌合フランジ１１を有する容器本体１０と、これに嵌合フランジ２１によって嵌合される蓋体２０とからなるものである。
【００４０】
以上の容器本体１０及びこれに嵌合される蓋体２０は、合成樹脂シートを真空または圧空成形することにより形成されるものであり、それぞれの嵌合フランジ１１・２１は、相対回転ができるように真円形状となるようにしてある。そして、各嵌合フランジ１１・２１の外側部分を形成しているものを、図２及び図５にも示したように、外側スカート部１２・２２としている。
【００４１】
それぞれの外側スカート部１２・２２には、図１〜図７に示したように、本体側ネジ段部１３及び蓋体側ネジ段部２３が形成してあるが、これら本体側ネジ段部１３及び蓋体側ネジ段部２３の正面からみた長さは、外側スカート部１２・２２の円周を６分割した程度であり、これらの本体側ネジ段部１３及び蓋体側ネジ段部２３の正面から見た高さは、各外側スカート部１２・２２で同じにしてある。また、これらの外側スカート部１２・２２の幅は、図２及び図６に示したように、各嵌合フランジ１１・２１の幅の１／５〜１／３程度となるようにしてあって、各嵌合フランジ１１・２１の上端面が余り細いものにならないようにしてある。
【００４２】
また、各外側スカート部１２・２２の、本体側ネジ段部１３及び蓋体側ネジ段部２３には干渉しない位置に、図１〜図７に示したように、内側に凹んだ嵌合部１４・２４がそれぞれ同一位置となるように形成してあり、これらの嵌合部１４・２４はほぼ同一形状のものにしてある。つまり、蓋体２０側の各嵌合部２４は、容器本体１０側の各嵌合部１４に１対１で嵌り込んで、蓋体２０の容器本体１０に対する一体化と密着性を確保するものである。勿論、これらの嵌合部１４・２４は、互いに嵌合するものであればよいから、図示したのとは反対に外側に膨出する状態に形成して実施してもよいものであり、形も四角の他、丸や三角、あるいは台形であってもよいものである。
【００４３】
さらに、各外側スカート部１２・２２の、上述した各嵌合部１４・２４の隣には、第二段部１５・２５が形成してあり、これらの第二段部１５・２５は、各本体側ネジ段部１３・２３と同程度の深さで各外側スカート部１２・２２において凹むものである。勿論、各本体側ネジ段部１３・２３が外側に膨出するものである場合には、これらの第二段部１５・２５も外側に膨出することになるものである。
【００４４】
これらの第二段部１５・２５は、蓋体２０を容器本体１０に対して回転させたとき、第二段部１５の外面に第二段部２５の内面が当接することにより両者の回転位置を規制するものであり、ストッパの役割を果たすものである。従って、これらの第二段部１５・２５は本体側ネジ段部１３及び蓋体側ネジ段部２３の平面から見た斜面に滑らかに連続してはならず、これらの本体側ネジ段部１３及び蓋体側ネジ段部２３に対して所定角度で傾斜したものである必要はある。中でも、これらの第二段部１５・２５は、嵌合フランジ１１・２１に対して垂直状態にあるのが、嵌合操作をし易くする上で有利である。
【産業上の利用可能性】
【００４５】
以上のようにした包装用容器１００は、梅干しのようなある程度の日持ちがして、再び取り出して食するような食品の容器として便利であるだけでなく、別の日持ち食品の容器として再利用できるものであるから、通常使い捨てされるこの種の包装用容器が「ゴミ」とされるのを極力抑えることができて、ゴミ問題の解消に少しでも役立つものである。
【００４６】
また、この包装用容器１００は、密閉性に優れたものでもあるから、「キムチ」等のきつい臭いを発生する食品の容器として使用することができ、コンビニエンスストア等において「ヒートシール機」の設置を省略することができる。
【図面の簡単な説明】
【００４７】
【図１】本発明に係る包装用容器の分解正面図である。
【図２】同包装用容器を構成している容器本体の平面図である。
【図３】同容器本体の底面図である。
【図４】同容器本体の右側面図である。
【図５】同包装用容器を構成している蓋体の平面図である。
【図６】同蓋体の底面図である。
【図７】同蓋体の右側面図である。
【図８】同包装用容器の、各第二段部の傾斜角度を変えたときの部分分解正面図である。
【図９】従来の技術を示す分解正面図である。
【図１０】図９に示した従来容器のネジ構造を示す部分拡大縦断面図である。
【図１１】従来の他の技術を示す分解斜視図である。
【符号の説明】
【００４８】
１００    包装用容器
１０    容器本体
１１    嵌合フランジ
１２    外側スカート部
１３    本体側ネジ段部
１４    嵌合部
１５    第二段部
２０    蓋体
２１    嵌合フランジ
２２    外側スカート部
２３    蓋体側ネジ段部
２４    嵌合部
２５    第二段部
【図１】
0004827479.tif 000002
【図２】
0004827479.tif 000003
【図３】
0004827479.tif 000004
【図４】
0004827479.tif 000005
【図５】
0004827479.tif 000006
【図６】
0004827479.tif 000007
【図７】
0004827479.tif 000008
【図８】
0004827479.tif 000009
【図９】
0004827479.tif 000010
【図１０】
0004827479.tif 000011
【図１１】
0004827479.tif 000012